(57)【特許請求の範囲】
【請求項１】
容器本体にヒンジを介して一体に繋がる蓋体を有する合成樹脂製の蓋付き容器であって、
蓋体は、当該蓋体に一体に設けられて変形及び復元の可能な舌片を有し、当該舌片の外周面に突起が設けられ、
容器本体は、その周壁に、蓋体との合せ面を取り囲むように周方向に延在して蓋体との合せ面を覆い隠す遮蔽壁を有し、当該遮蔽壁と周壁との間に、周壁における蓋体との合せ面に開口部を形成すると共に遮蔽壁の下端に開口部を形成し、当該周壁と遮蔽壁との間に舌片を変形及び復元可能に通じさせて当該舌片の突起を遮蔽壁の下端に着脱可能に引っ掛けて係止するためのスリットが形成されており、
周壁は、遮蔽壁と隣接する縁部分をその輪郭に沿って窪ませることで、蓋体との合せ面を形成し、この合せ面にスリットの開口部を形成し、
前記スリットを形作る薄肉の周壁に、その幅方向に間隔を空けて、舌片の両側を支持する２つの突条が設けられていることを特徴とする蓋付き容器。
【発明の詳細な説明】
【技術分野】
【０００１】
本発明は、蓋付き容器に関するものである。
【背景技術】
【０００２】
従来の蓋付き容器としては、容器本体にヒンジを介して蓋体を一体に繋げることで、蓋体の開閉を容易にするものがある(例えば、特許文献１参照)。
【先行技術文献】
【特許文献】
【０００３】
【特許文献１】特開平１１−７０９８３号公報
【発明の概要】
【発明が解決しようとする課題】
【０００４】
しかしながら、内容物の種類によっては、反対に、容易な操作で蓋体が開かないように求められる場合がある。特に近年は、いわゆるチャイルドレジスタンスと呼ばれるように、子供が簡単に操作できないように求められる場合がある。
【０００５】
本発明の目的とするところは、蓋体を開くための操作を複雑にすることで安全性の向上を図りつつも、蓋体を容易に且つ強固に閉じることできる、新規の蓋付き容器を提供することにある。
【課題を解決するための手段】
【０００６】
本発明は、容器本体にヒンジを介して一体に繋がる蓋体を有する合成樹脂製の蓋付き容器であって、
蓋体は、当該蓋体に一体に設けられて変形及び復元の可能な舌片を有し、当該舌片の外周面に突起が設けられ、
容器本体は、その周壁に、蓋体との合せ面を取り囲むように周方向に延在して蓋体との合せ面を覆い隠す遮蔽壁を有し、当該遮蔽壁と周壁との間に、周壁における蓋体との合せ面に開口部を形成すると共に遮蔽壁の下端に開口部を形成し、当該周壁と遮蔽壁との間に舌片を変形及び復元可能に通じさせて当該舌片の突起を遮蔽壁の下端に着脱可能に引っ掛けて係止するためのスリットが形成されており、
周壁は、遮蔽壁と隣接する縁部分をその輪郭に沿って窪ませることで、蓋体との合せ面を形成し、この合せ面にスリットの開口部を形成し、
前記スリットを形作る薄肉の周壁に、その幅方向に間隔を空けて、舌片の両側を支持する２つの突条が設けられていることを特徴とするものである。
【発明の効果】
【０００８】
本発明は、蓋体を閉じた状態では、蓋体との合せ面が遮蔽壁で覆い隠されているため、合せ面を頼りに蓋体を開くことができない。このため、使用者は蓋体を開くにあたり、先ず、遮蔽壁の下端に形成された開口部から露出する舌片を内側に押し込んで、舌片の突起による遮蔽壁の下端に対する引っ掛かりを解除する必要がある。加えて使用者は、そこから更に、舌片を押し込んで引っ掛かりを解除したまま、ヒンジを基点に蓋体を引き上げる必要がある。
【０００９】
即ち、本発明では、蓋体を開くための操作として、舌片の突起と遮蔽壁の下端との引っ掛かりを解除する工程と、引っ掛かりの解除を維持したまま、ヒンジを基点に蓋体を引き上げる工程との少なくとも２工程が必要となる。
【００１０】
これに対し、蓋体の舌片は、変形及び復元ができることから、蓋体を閉じるときには、ヒンジを基点に蓋体を押し下げるだけで済む。しかも、舌片の突起は、蓋体を押し下げたときに、遮蔽壁の下端と引っ掛かることで、再び容易に開くことができない。
【００１１】
即ち、本発明では、蓋体を簡単に操作するだけでは、蓋体を開くことができないが、蓋体を開いた後は容易にかつ強固に閉じることができる。従って、本発明によれば、蓋体を開くための操作を複雑にすることで安全性の向上を図りつつも、蓋体を容易に且つ強固に閉じることができる。
【図面の簡単な説明】
【００１２】
【図１】(a)は、本発明の蓋付き容器の一形態である、錠剤ケースが蓋体を開かれた状態で示す平面図であり、(b)は、同ケースの側面図である。
【図２】(a)は、同錠剤ケースが蓋体を閉じられた状態で示す平面図であり、(b)は、同ケースの側面図である。
【図３】(a)は、図１の要部斜視図であり、図１(a)の要部Ｘ−Ｘ断面図である。
【図４】図１(a)の要部Ｙ−Ｙ断面図である。
【図５】図２の要部斜視図である。
【図６】(a)は、図２(a)の要部Ｘ−Ｘ断面図であり、(b)は、図１(a)の要部Ｚ−Ｚ断面図である。
【図７】図２(b)の要部Ｙ−Ｙ断面図であり、(b)は、図２(a)の要部Ｚ−Ｚ断面図である。
【発明を実施するための形態】
【００１３】
以下、図面を参照して、本発明である、蓋付き容器を詳細に説明する。
【００１４】
図中、符号１は、本発明の一形態である、錠剤ケース１である。錠剤ケース１は、例えば、熱可塑性の合成樹脂を用いた射出成形等の既存の方法によって成形されている。
【００１５】
符号２は、錠剤を収納する容器本体である。容器本体２は、その内側に空間を形作る周壁３を有し、この周壁３の下端が底壁４に一体に繋がることで、錠剤の収納空間Ｒを形作る。本形態では、周壁３は、前後方向に延在する長手壁３ａと、幅方向に延在する短手壁３ｂで構成されることで、図１(a)のように、その内側に矩形の断面形状を形作る。
【００１６】
符号５は、ヒンジ６を介して容器本体２に一体に繋がる蓋体である。蓋体５は、図２(b)の破線に示すように、周壁３との合せ面５ｆが周壁３の合せ面３ｆに合さることで、周壁３に取り囲まれた開口部（取出口）Ａを閉じる。符号７は、図３(a)に示すように、蓋体５の合せ面５ｆから一体に延在する舌片である。舌片７は、幅方向に間隔を空けて配置されている。舌片７はそれぞれ、板状をなして、図３(b)の矢印に示すように、合せ面５ｆを基点に、その厚み方向に変形及び復元ができる。符号８は、舌片７の外周面に、複数の滑り止め９と共に、一体に設けられた突起である。
【００１７】
一方、符号１０は、図４に示すように、容器本体２の周壁３に一体に設けられた遮蔽壁である。遮蔽壁１０は、図３(a)に示すように、前後方向に延在する長手壁１０ａと、幅方向に延在する短手壁１０ｂとを有し、ヒンジ６を配置した周壁３の短手壁３ｂを除いて、周壁３を取り囲むように周方向に延在する。遮蔽壁１０は、図４に示すように、周壁３の合せ面３ｆよりも延在させることで、蓋体５との合せ面３ｆ（Ｌ）を覆い隠すことができる。
【００１８】
更に、遮蔽壁１０の高さは、蓋体５を閉じたときの高さと同等としている。これにより、蓋体５は、図５に示すように、ヒンジ６を基点に閉じると、遮蔽壁１０の内側に収納される。但し、本発明によれば、遮蔽壁１０の高さは、蓋体５との合せ面３ｆ（Ｌ）を覆い隠すことができる高さであれば、それ以上の高さについては適宜設定することができる。
【００１９】
符号１１は、図６(a)に示すように、周壁３と遮蔽壁１０との間に舌片７を変形及び復元可能に通じさせるスリットである。スリット１１は、図６(b)に示すように、長手壁３ａと遮蔽壁１０の間に形成されている。長手壁３ａは、短手壁３ｂと共に、遮蔽壁１０と隣接する縁部分をその輪郭に沿って窪ませることで、蓋体５との合せ面３ｆを形成し、この合せ面３ｆにスリット１１の開口部（挿込口）Ａ2が形成されている。開口部Ａ2は、長手壁３ａと遮蔽壁１０の間を介して遮蔽壁１０の下端１０ｅに形成された開口部（係止口）Ａ3に通じる。即ち、スリット１１は、薄肉の周壁３ａ1と遮蔽壁１０とで構成される。
【００２０】
また、スリット１１は、図７(a)に示すように、開口部Ａ2を通して挿入された舌片７との間にクリアランスＣを形成する。これにより、スリット１１は、舌片７を変形及び復元可能に通じさせる。舌片７は、開口部Ａ3から外界に露出することで、その突起８が、図６(a)に示すように、遮蔽壁１０の下端１０ｅに引っ掛かって係止される。
【００２１】
これに対し、舌片７は、スリット１１内で変形及び復元可能であるため、舌片７を、図６(a)の矢印に示すように、内側（クリアランスＣ側）に押し込むことで、遮蔽壁１０の下端１０ｅとの引っ掛かりを解除できる。また、舌片７の押し込みを解除すれば、舌片７の復元力により遮蔽壁１０の下端１０ｅに引っ掛かって再び、遮蔽壁１０の下端１０ｅに対して係止される。
【００２２】
上述のとおり、本形態は、蓋体５を図１に示す状態から閉じた状態では、図２に示すように、蓋体５との合せ面Ｌ（３ｆ，５ｆ）が遮蔽壁１０で覆い隠されているため、合せ面Ｌを頼りに蓋体を開くことができない。このため、使用者は蓋体５を開くにあたり、先ず、遮蔽壁１０の下端１０ｅに形成された開口部Ａ3から露出する舌片７を内側に押し込んで、舌片７の突起８による遮蔽壁１０の下端１０ｅに対する引っ掛かりを解除する必要がある。加えて使用者は、そこから更に、舌片７を押し込んで引っ掛かりを解除したまま、ヒンジ６を基点に蓋体６を引き上げる必要がある。
【００２３】
これにより、蓋体５はヒンジ６を基点に図1に示すように開くことができる。即ち、本形態では、蓋体５を開くための操作として、舌片７の突起８と遮蔽壁１０の下端１０ｅとの引っ掛かりを解除する工程と、引っ掛かりの解除を維持したまま、ヒンジ６を基点に蓋体５を引き上げる工程との少なくとも２工程が必要となる。
【００２４】
これに対し、蓋体５の舌片７は、変形及び復元ができることから、蓋体５を閉じるときには、図１に示す状態から、ヒンジ６を基点に蓋体５を押し下げるだけで済む。しかも、舌片７の突起８は、蓋体５を押し下げたときに、遮蔽壁１０の下端１０ｅと引っ掛かることで、再び容易に開くことができない。
【００２５】
即ち、本形態では、蓋体５を簡単に操作するだけでは、蓋体５を開くことができないが、蓋体５を開いた後は容易にかつ強固に閉じることができる。従って、本形態によれば、蓋体５を開くための操作を複雑にすることで安全性の向上を図りつつも、蓋体５を容易に且つ強固に閉じることができる。
【００２６】
また、本発明によれば、スリット１１は、遮蔽壁１０と隣接する周壁３ａを完全に切り欠いて遮蔽壁１０の下端１０ｅに開口部Ａ3を形成することも可能であるが、本形態では、周壁３のうち、遮蔽壁１０と隣接する縁部分をその輪郭に沿って窪ませることで、蓋体５との合せ面３ｆを形成し、この合せ面３ｆにスリット１１の開口部Ａ2が形成されている。
【００２７】
このような合せ面３ｆにスリット１１の開口部Ａ2を形成すれば、周壁３の上端には、合せ面３ｆに取り囲まれた突出部３ｃが形成されるため、突出部３ｃが蓋体５の内側に形成した段部５ｃに嵌合することで、蓋体５の固定を強固なものにする。更に、遮蔽壁１０が設けられた領域では、当該遮蔽壁１０との嵌合によっても蓋体５の固定が強固なものになる。これにより、収納空間Ｒ内の密閉性の向上と共に、蓋体５が更に開け難くなり、安全性の向上が更に図られる。
【００２８】
更に、本形態では、図７(a)に示すように、スリット１１を形作る薄肉の周壁３ａ1に、２つの突条３ｐが一体に設けられている。突条３ｐはそれぞれ、周壁３ａ1の幅方向に間隔を空けて配置されている。突条３ｐはそれぞれ、舌片７の両側を支持することにより、図７(b)に示すように、舌片７の変形及び復元を、この舌片７の中心線Ｏ付近に制限する。
【００２９】
このため、使用者は、舌片７の中心線Ｏ付近を正確に押さないと、舌片７を弾性変形させることで、突起８の係止を解除することができない。こうした構成を採用すれば、蓋体５が更に開け難くなり、安全性の向上が更に図られる。なお、本発明に従えば、突条３ｐを省略することで、操作性に重きを置くこともできる。
【００３０】
上述したところは、本発明の一形態を示したにすぎず、特許請求の範囲において、種々の変更を加えることができる。例えば、舌片７及びスリット１１は、本形態の如く、蓋体５の左右と周壁３の左右（長手壁）３ａに設けることが好ましいが、本発明に従えば、左右何れか一方だけでもよい。更に、舌片７及びスリット１１はそれぞれ、蓋体５の前方側と容器本体２の前側周壁（短手壁）３ｂに設けることができる。
【産業上の利用可能性】
【００３１】
粒状のガムやキャンディ等の嗜好品や、丸薬等の錠剤を収納容器に採用することができるが、特に、薬剤等の収納容器として有効である。
【符号の説明】
【００３２】
１    錠剤ケース
２    容器本体
３    周壁
３ａ  左右周壁(長手壁)
３ｂ  前後周壁(短手壁)
３ｃ  嵌合突出部
３ｆ  合せ面
３ｐ  突条
４    底壁
５    蓋体
５ｆ  合せ面
６    ヒンジ
７    舌片
８    突起
９    滑り止め
１０  遮蔽壁
１０ａ  左右遮蔽壁(長手壁)
１０ｂ  前遮蔽壁(短手壁)
１１  スリット
Ａ1   開口部（取出口）
Ａ2   開口部（挿込口）
Ａ3   開口部（係止口）
【図１】
0005650563.tif 000002
【図２】
0005650563.tif 000003
【図３】
0005650563.tif 000004
【図４】
0005650563.tif 000005
【図５】
0005650563.tif 000006
【図６】
0005650563.tif 000007
【図７】
0005650563.tif 000008